(57)【要約】【課題】  自治体等の規制に合致し、カラス等の小動物による散乱被害を防止し得るゴミ袋を提供する。【解決手段】  底部ａ、側面部ｂ及び開口部ｃを有する合成樹脂フィルム製ゴミ袋であって、底部ａに近接する側の側面部ｂ１が収納物を視認不可能に形成され、開口部ｃに近接する側の側面部ｂ２が収納物を視認可能に形成されたゴミ袋。【選択図】  図１
2005022848.tif 000002
【特許請求の範囲】
【請求項１】
底部ａ、側面部ｂ及び開口部ｃを有する合成樹脂フィルム製ゴミ袋であって、底部ａに近接する側の側面部ｂ１が収納物を視認不可能に形成され、開口部ｃに近接する側の側面部ｂ２が収納物を視認可能に形成されていることを特徴とするゴミ袋。
【請求項２】
収納物を視認不可能に形成する方法が、合成樹脂フィルムに添加剤を添加する方法、合成樹脂フィルムに塗布剤を塗装する方法、及び側面部の所定位置にシート状又は袋状遮蔽物を挿入する方法から選ばれた少なくとも１種の方法であることを特徴とする請求項１記載のゴミ袋。
【請求項３】
シート状又は袋状遮蔽物が、不織布（目付け：２０〜１００ｇ／ｍ２）、紙（目付け：２０ｇ〜１２０ｇ／ｍ２）、着色シート（厚さ：２０〜５００μｍ）及びワリフ（目付け：１０ｇ〜１００ｇ／ｍ２）から選ばれた少なくとも１種であることを特徴とする請求項２記載のゴミ袋。
【請求項４】
シート状又は袋状遮蔽物が、不織布（目付け：２０〜１００ｇ／ｍ２）であることを特徴とする請求項３記載のゴミ袋。
【請求項５】
側面部ｂ１が、底部ａから少なくとも１０ｃｍまでの領域であり、側面部ｂ２が、開口部ｃから少なくとも１０ｃｍまでの領域を含む側面部ｂ１以外の領域であることを特徴とする請求項１記載のゴミ袋。
【請求項６】
側面部ｂ１の光線透過率が２０％未満、側面部ｂ２の光線透過率が２０％以上であることを特徴とする請求項１記載のゴミ袋。
【請求項７】
底部ａの形状が折り込み平底型又はスタンディングパウチ型を含む自立型であることを特徴とする請求項１〜６のいずれか１項に記載のゴミ袋。
【発明の詳細な説明】
【技術分野】
【０００１】
本発明は、ゴミ袋に関する。詳しくは、市街地において一般家庭、飲食店等から廃棄される食物残渣を含む生ゴミを収納して廃棄する際に用いられ、カラス等の小動物による散乱被害を回避し得るゴミ袋に関する。
【背景技術】
【０００２】
従来、主として一般家庭、飲食店等から廃棄される食物残渣を含む生ゴミは、黒色等に着色した不透明のゴミ袋に収納して、各地区の集積場に集められ、自治体などにより焼却処分又は埋め立て処分されていた。しかし、主として、都市部においては、廃棄物が右肩上がりに増加し続け、焼却処分設備や埋め立て処分場が不足することとなっている。そのため、焼却処分や埋め立て処分する廃棄物を減量する必要が生じ、一般家庭や飲食店から廃棄されるゴミについても、材質別に分類して廃棄するか、又は再利用可能な資材は分別回収することが義務付けられるようになっている。
【０００３】
多くの自治体では、食物残渣を含む生ゴミは、可燃物として分類されている。その場合、可燃物類に他の分類物を間違って混入することを未然に防止する観点から、収納用ゴミ袋として、透明又はそれに近い性状のゴミ袋を用いることを義務付けている。特に規制が厳しい自治体では、透明の袋を特定ゴミ袋として指定している。
透明又はそれに近い性状のゴミ袋に食物残渣を含む生ゴミを収納した場合、内容物を容易に判別することが可能であり、カラス、犬、猫、ネズミ等の小動物が餌の対象として視認する。特に、各地区に一次集積された生ゴミ袋に付いては、都市部に住み着いたカラス等の絶好の標的となり、内容物を突つき出し、散乱させる被害を日常的に被るようになった。一方、以前用いられていた黒色などに着色された不透明のゴミ袋に生ゴミを収納した場合、内容物の突つき出しによる散乱の被害は殆ど問題にならなかった経緯がある。
【０００４】
上記被害から町の美観を守るために、一次集積地の生ゴミ袋の上にネットを被せ、カラス等の侵入を防いだり、内容物が見えない様な開閉式大型ゴミ箱を設置してその中に生ゴミ袋を入れる方法を採用する所も出て来ている。しかし、これらの方法では、生ゴミを一次集積地へ持ち込む際、都度ネットで被う必要が有ることから、作業が煩雑であったり、ネツト自体が不衛生になり易い。開閉式大型ゴミ箱は、特に繁華街、住宅街では設置場所の確保が困難であり満足できる解決策とはいえない。
【０００５】
一方、これらの方法とは別に生ゴミ袋自体にカラスなどの小動物が苦手とする各種添加剤を練り込んだり、忌避するような物理的処理を施したりする方法が提案されている。例えば、特開２０００−２１２０１４号公報（特許文献１参照）、特開平９−１６９４０１号公報（特許文献２参照）等の様に動物忌避剤と言われるクジンエキス、リモネン、カプサイシン、カラシ、ワサビ等の辛味成分、安息香酸デナトニウム等をゴミ袋へ練り込んだり、塗布したりしたもの、或いは、特開２０００−４６８０２号公報（特許文献３参照）、特開平１０−３５８０９号公報（特許文献４参照）等の様にゴミ袋の外壁面全面を光沢有る銀色に施したり、或いは動物体内の磁気撹乱を目的に磁気ストライプをゴミ袋の外壁に貼り付ける方法等が提案されている。
しかし、ゴミ袋用フィルムにこれらの動物忌避成分を配合したり、部分的に磁気ストライブを付けたゴミ袋は内容物が可視出来ることから、カラスなどの小動物は内容物を容易に視認し、突つき出す行動を取り、袋自体による防護性は大して期待出来ない。また、全面を銀色に施す方法は、内容物が見えないことから防護は可能で有るが、自治体等の規制には合致しないものであり実用的ではない。
【０００６】
【特許文献１】特開２０００−２１２０１４号公報（特許請求の範囲）
【特許文献２】特開平９−１６９４０１号公報（［００１６］、［００１９］）
【特許文献３】特開２０００−４６８０２号公報（特許請求の範囲）
【特許文献４】特開平１０−３５８０９号公報（特許請求の範囲）
【特許文献５】特開平９−１８８３１１号公報（特許請求の範囲、［０００２］）
【発明の開示】
【発明が解決しようとする課題】
【０００７】
本発明の目的は、上記問題に鑑み、自治体等の規制に合致し、カラス等の小動物による散乱被害を防止し得る、食物残渣を含む生ゴミの収納に適するゴミ袋を提供することにある。
【課題を解決するための手段】
【０００８】
本発明者らは、合成樹脂フィルムから形成されたゴミ袋の底部に近接する側の側面部を収納物が視認不可能に形成し、それ以外の開口部に近接する側の側面部を収納物が視認可能に形成したゴミ袋が、上記課題を解決し得るものであることを見出し、本発明に到った。
すなわち、本発明は、底部ａ、側面部ｂ及び開口部ｃを有する合成樹脂フィルム製ゴミ袋であって、底部ａに近接する側の側面部ｂ１が収納物を視認不可能に形成され、開口部ｃに近接する側の側面部ｂ２が収納物を視認可能に形成されていることを特徴とするゴミ袋である。
【０００９】
本発明に係わるゴミ袋の好ましい態様は、収納物を視認不可能に形成する方法が、合成樹脂フィルムに添加剤を添加する方法、合成樹脂フィルムに塗布剤を塗装する方法、及び側面部の所定位置にシート状又は袋状遮蔽物を挿入する方法から選ばれた少なくとも１種の方法である前記ゴミ袋である。該シート状又は袋状遮蔽物としては、不織布（目付け：２０〜１００ｇ／ｍ２）、紙（目付け：２０ｇ〜１２０ｇ／ｍ２）、着色シート（厚さ：２０〜５００μｍ）、ワリフ（目付け：１０ｇ〜１００ｇ／ｍ２）、又はこれらの組み合わせ物が挙げられる。これらの内、不織布（目付け：２０〜１００ｇ／ｍ２）が好ましい。
【００１０】
本発明に係わるゴミ袋の他の好ましい態様は、側面部ｂ１が、底部ａから少なくとも１０ｃｍまでの領域であり、側面部ｂ２が、開口部ｃから少なくとも１０ｃｍまでの領域を含む側面部ｂ１以外の領域である前記ゴミ袋、側面部ｂ１の光線透過率が２０％未満、側面部ｂ２の光線透過率が２０％以上である前記ゴミ袋、底部ａの形状が折り込み平底型又はスタンディングパウチ型を含む自立型である前記ゴミ袋である。
【発明の効果】
【００１１】
本発明に係わるゴミ袋は、カラスなどの小動物の目線の位置に相当する側面部が、収納物を視認不可能に形成されていることにより、カラスなどが収納物を容易に視認し難く、突つき出しなどによる収納物の散乱被害を防止することができる。ゴミ袋の底部を自立可能に形成することによりその効果が一層顕著である。また、ゴミ袋の開口部に近接する側面部が、収納物を視認可能に形成されているので、自治体などの規制に合致するものであり、食物残渣を含む生ゴミの収納用ゴミ袋として好適である。
【発明を実施するための最良の形態】
【００１２】
以下、本発明について詳細に説明する。本発明に係わるゴミ袋は、合成樹脂から樹脂フィルムを成形し、得られた樹脂フィルムを所定の寸法に切断した後、必要な部分を融着、接着、又は縫合することにより製造される。その際、袋の底部に近接する側面部は、ゴミ袋に収納された収納物が視認できないように形成し、袋の開口部に近接する領域を含むその他の領域の側面部は、ゴミ袋に収納された収納物が視認できるように形成する。
【００１３】
本発明のゴミ袋の形成に用いる合成樹脂は、フィルムの成形性、フィルムの柔軟性、袋の取り扱い性、収納物の収納性等を考慮すると熱可塑性樹脂が好ましい。熱可塑性樹脂としては、ポリエチレン、ポリプロピレン等のポリオレフィン系樹脂、塩化ビニル系樹脂、汎用ポリスチレン、ＡＳ樹脂等のスチレン系樹脂、ＰＭＭＡ、ＰＭＳ等のアクリル系樹脂に限らず、ポリカーボーネート樹脂、ポリエチレンテレフタレート樹脂、更には、ポリ乳酸、ポリブチレンサクシネート等の生分解性樹脂等、可塑化、成形したフィルムが透明性を示す樹脂であれば、いずれも用いることができる。これらの内、低密度ポリエチレン、線状低密度ポリエチレン等のポリエチレン系樹脂、或いはポリエチレンテレフタレート等のポリエステル系樹脂が好ましい。
【００１４】
これらの樹脂は単独で用いてもよいし、また数種の樹脂を組み合わせて混合して用いてもよい。混合して用いる場合、相溶化剤を用いてこれら樹脂を均一に混ぜ合わせてもよいが、屈折率ができるだけ近いもの同士を組み合わせて用い、透明又は半透明のフィルムが形成されるようにすることが好ましい。
これらの樹脂に可塑剤、帯電防止剤、耐候剤、耐熱安定剤、等の各種添加剤、或いは透明、半透明を維持できる程度に染料、顔料等の着色剤を添加することも可能である。
【００１５】
本発明のゴミ袋は、上記合成樹脂からフィルムを形成し、得られた樹脂フィルムからゴミ袋を形成する。樹脂フィルムの成形方法には特に規定はない。一般的には、円筒形ダイが装着された成形機を用いるインフレーション式フィルム成形方法、Ｔダイが装着された成形機を用いる押出式フィルム成形方法、ブロー成形方法等の公知の方法が可能である。フィルムは単層に限らず多層構造とすることも可能である。樹脂フィルムの厚みは１０〜１００μｍ程度である。好ましくは１０〜８０μｍ程度である。
【００１６】
本発明のゴミ袋は、底部に近接する側の側面部を収納物が視認できないように形成し、開口部に近接する側の側面部を収納物が視認できるように形成することが重要である。
カラスなどの小動物は、先ず、ゴミ袋内の食物残渣を目視して収納物を判断し、餌であると判断して収納物に向かって突つき、袋を破損させるものと推定される。そのため、カラスなどの小動物の目線以下の部分の側面部を非透明に形成して、収納物が視認できない様に形成することが必要である。
【００１７】
一部大型の犬類を除けば、一般的には、小動物と言われる猫、ネズミ、カラス等の目線は、地面から約１０ｃｍの高さ、高くとも地面から約２０ｃｍの高さにある。従って、袋の底部からこの高さより少し上の高さまでの側面部を収納物が視認できないように形成することにより、これら小動物による収納物の突つき出し、収納物の散乱被害を防ぐことができる。
小動物の中でもカラスは、積み重ねられたゴミ袋の上では、足場が安定しないことから、袋を突付いたりして収納物を引き出すことはあまりなく、ゴミ袋の収納物の突つき出しによる散乱被害は実質的には地面の近傍箇所が主である。
【００１８】
上記の事項を考慮すると、収納物が視認できないように形成する側面部の長さは、底部から少なくとも１０ｃｍまでの領域、好ましくは少なくとも２０ｃｍまでの領域、更に好ましくは少なくとも３０ｃｍまでの領域であることが推奨される。収納物が視認できないように形成する側面部の長さの上限については、袋の大きさによるが、通常、幅が６５０ｍｍ、長さ（底部と開口部の距離）が８００ｍｍである実容積が４５リットルのゴミ袋の場合には５０ｃｍ程度である。
【００１９】
本発明に係わるゴミ袋の形状について、図面に基づいて説明する。図１は、本発明に係わるゴミ袋の一実施例を示す模式図である。図１において、ａは底部、ｂは側面部、ｃは開口部である。側面部ｂの内、側面部ｂ１は、底部ａに近接する側の側面部であり、収納物が視認不可能に形成される領域である。側面部ｂ２は、開口部ｃに近接する側の側面部であり、収納物が視認可能に形成される領域である。
【００２０】
収納物が視認できないように形成する側面部ｂ１の長さ、即ち、図１におけるｂ１−ｂとｂ１−ｔの距離は、少なくとも１０ｃｍ、好ましくは少なくとも２０ｃｍ、更に好ましくは少なくとも３０ｃｍである。換言すると、側面部ｂ１の領域は、底部ａから少なくとも１０ｃｍまでの領域である。側面部ｂ１の長さ（ｂ１−ｂとｂ１−ｔの距離）の上限は、袋の大きさによるが、通常、幅が６５０ｍｍ、長さ（ｂ１−ｂとｂ２−ｔの距離）が８００ｍｍである実容積が４５リットル用のゴミ袋の場合には５０ｃｍ程度である。通常、上記４５リットル用のゴミ袋の場合には、側面部ｂ１の長さ（ｂ１−ｂとｂ１−ｔの距離）は１０〜５０ｃｍ程度である。好ましくは２０〜５０ｃｍ程度、更に好ましくは３０〜５０ｃｍ程度である。それ以外の領域（部分）が側面部ｂ２である。図１に示した側面部ｂ１は、光線透過率が２０％未満のフィルム又はその積層体により形成した一例である。
【００２１】
一方、収納物が視認可能に形成する側面部ｂ２の長さは、図１におけるｂ１−ｔとｂ２−ｔの距離に相当する。即ち、側面部ｂの内、側面部ｂ１の領域以外の領域が側面部ｂ２である。側面部ｂ２は、開口部ｃから少なくとも１０ｃｍまでの領域を含む側面部ｂ１以外の領域である。通常、上記４５リットル用のゴミ袋の場合には、側面部ｂの長さは３０〜７０ｃｍ程度である。袋の開口部ｃに近接する側に側面部ｂ２を形成することにより、収納物を視認することが可能となり、自治体等の規制に合致したゴミ袋となし得るのである。図１に示した底部ｃは、スタンディングパウチ型に形成した一例である。
【００２２】
ゴミ袋の側面部ｂ１を収納物が視認不可能に形成する方法として、合成樹脂フィルムに添加剤を添加する方法、合成樹脂フィルムに塗布剤を塗装する方法、側面部の所定位置にシート状遮蔽物を挿入したりゴミ袋の内側の所定位置に袋状遮蔽物を挿入する方法、又はこれらの方法の複数を組み合わせて実施する方法が挙げられる。これらの内、ゴミ袋の強度を向上できることなどを考慮すると、側面部の所定部にシート状遮蔽物を挿入する方法、又は袋状遮蔽物を挿入する方法が好ましい。
【００２３】
合成樹脂フィルムに添加剤を添加する方法としては、炭酸カルシウム、硫酸バリウム、酸化チタン、カーボン、タルク、クレーなどの無機粉粒体を添加する方法、又は顔料、染料等を添加する方法が挙げられる。無機粉粒体、顔料、染料等の添加量は、フィルムの光線透過率が２０％未満になる量であればよい。通常、添加剤が無機粉粒体であるときには合成樹脂１００重量部に対し、５〜４０重量部程度が好ましい。添加剤が顔料、染料等であるときには、粒子径、分散状態にもよるがフィルム中の含有量が１００〜３０００ｐｐｍ（０．３重量％）程度となるように添加することが好ましい。
【００２４】
この場合に使用する袋用樹脂フィルムの製造方法としては、例えば、インフレーション成形機、或いはＴダイが装着された押出成型機Ａを用いて、上記樹脂を混練、溶融して、光線透過率が２０％以上である透明なフィルムＡを成形する。同時に、インフレーション成形機、或いはＴダイが装着された押出成型機Ｂを用いて、上記無機粉粒体、又は顔料、染料等の所定量を含む樹脂組成物を混練、溶融して、光線透過率が２０％未満であるフィルムＢを成形しながら、それをフィルムＡの所定位置に積層する方法が挙げられる。また、多層インフレーション成形機、多層Ｔダイ押出成形機を用いて多層フィルムを成形する際に、中間層、外層等の一部を上記方法によりフィルムの光線透過率が２０％未満になるように成形する方法も挙げられる。
【００２５】
ゴミ袋を形成する際は、フィルムＢが積層された部分、又は多層成形で光線透過率が２０％未満になるように形成された部分で側面部ｂ１を形成し、フィルムＢが積層されていない部分、又は多層成形で光線透過率が２０％以上になるように形成された部分で側面部ｂ２を形成する。底部ｃも収納物が視認不可能に形成することが好ましい。
【００２６】
合成樹脂フィルムに塗布剤を塗装する方法としては、上記と同様にして成形された透明なフィルムＡにより袋を形成し、得られた袋の側面部ｂ１の領域に塗布剤を塗装する。塗布剤としては、ウレタン樹脂、アクリル樹脂、エポキシ樹脂、メラミン樹脂、ポリ塩化ビニル、ポリ酢酸ビニルなどの合成樹脂を有機溶媒に溶解した油性塗料、ポリ塩化ビニル、ポリ酢酸ビニルなどの合成樹脂を水媒体に可溶化してエマルション状にした水性塗料などが挙げられる。塗装方法は、特に制限はなく、ハケを用いるハケ塗り塗装法、スプレーガンを用いる吹きつけ塗装法などの公知の方法が摘要される。塗料の色は、塗装部分の光線透過率が２０％未満になるものであればよい。例えば、黒色、灰色等の暗い色が推奨される。
【００２７】
側面部の所定位置にシート状遮蔽物又は袋状遮蔽物を挿入する方法としては、上記と同様にして成形された透明なフィルムＡにより袋を形成し、得られた袋の側面部ｂ１に相当する位置の内側に、不織布、紙、着色シート、ワリフ、又はこれらの組み合わせ物を遮蔽物として挿入して側面部ｂ１を形成する方法が挙げられる。これらの内、ゴミ袋の強度、カラスなどの小動物の突きに対する耐久性などを考慮すると、不織布を遮蔽物として用いる方法が好ましい。不織布を円筒状又は袋状に形成し、それを側面部ｂ１に相当する位置の内側に挿入して側面部ｂ１を形成する。
【００２８】
不織布としては、ポリエチレン、ポリプロピレン等のポリオレフィン系樹脂、又はこれらの混合樹脂から形成されたものが好ましい。不織布の製造方法には、特に制限はなく公知の方法により製造されたもので差し支えない。例えば、スパンボンド法、メルトブローン法、フラシュ紡糸法等により、上記樹脂を溶融または溶解した後、繊維化および不織布に成形する方法に従って成形することができる。鞘部と芯部が異なる樹脂から構成される芯鞘型複合繊維からなる不織布も好適に用いられる。
【００２９】
不織布の目付は２０〜１００ｇ／ｍ２程度のものが好ましい。不織布の目付けが２０ｇ／ｍ２未満では、収納物が透けて見えるようになると共に引き裂き強度的にも弱くなり好ましくない。一方、不織布の目付けが１００ｇ／ｍ２を超えると、引き裂き強度が著しく強くなるものの、重量的に重くなりゴミ袋としては好ましくない。更に好ましい不織布の目付けは４０〜７０ｇ／ｍ２である。不織布の市販品としては、例えば、三井化学（株）製、商品名：シンテックスなどが挙げられる。
【００３０】
紙としては、新聞紙などでもよいが、強度などを考慮すると、目付が２０〜１１２０ｇ／ｍ２程度のクラフト紙が好ましい。その他、剛性を有する例えば、黄板紙、白板紙、すき合わせ包装用紙、段ボール原紙、ルーフィング原紙なども挙げることができる。目付けが２０ｇ／ｍ２未満の紙は、紙の種類にもよるが、収納物の遮蔽性はあるものの、強度的には弱く容易に破損するので好ましくない。また、目付けが１２０ｇ／ｍ２を超える紙は、剛性が高く自由形状になり難いことと共に、重量的に重くなり好ましくない。更に好ましい目付けは５０〜７５ｇ／ｍ２である。
【００３１】
シート状遮蔽物又は袋状遮蔽物として、着色シートを用いる場合は、例えば、上記方法により成形された光線透過率が２０％未満であるフィルムＢを用いる方法が挙げられる。ここでは、上記フィルムＢの如き着色シートの厚みは２０〜５００μｍ程度が好ましい。２０μｍ未満のフィルムは、光線透過率を下げて遮蔽性を上げても、強度的に弱く容易に破損し易いので好ましくない。また、５００μｍを超えるシートは、著しく剛性が高くなり、自由形状を作るのが難しくなると共に、重量的に重くなりゴミ袋としては好ましくない。更に好ましい厚みは５０〜８０μｍである。
【００３２】
更にこれらシート状遮蔽物或いは袋状遮蔽物として、ワリフを用いることも推奨される。ここで用いられるワリフの目付けとしては１０〜１００ｇ／ｍ２が好ましい。ここで、ワリフは、解繊糸を縦、横に編込んだシート状物であることから、引張強度、突き刺し強度等が大きく、比較的低目付けのものが好ましい。目付けが２０〜５０ｇ／ｍ２程度の物が更に好ましく推奨される。
【００３３】
これらのシート状又は袋状遮蔽物を側面部ｂ１に相当する位置に固定し、側面部ｂ１を形成する方法には特に規定はない。例えば、ホットメルト接着剤を用いて接着する方法、熱融着する方法等が挙げられる。側面部ｂ１の全面を固定してよいし、部分的に固定してもよい。
【００３４】
上記の通り、本発明のゴミ袋は、底部に近接する側の側面部を、収納物が視認不可能に形成することを必須とする。しかし、ゴミ袋自体が転倒した状態ではその機能を充分に発揮できないことがある。そのため、ゴミ袋に収納物を入れた状態では、袋が転倒し難い自立型に形成することが好ましい。ゴミ袋を自立型に形成する方法としては、例えば、平袋をふくらました状態で、底部の左右の各端部を形成する側面部稜線と底部稜線との交点の三角部を押しつぶし、その押しつぶし部の頂点を底部稜線側に折り曲げて固定する折り込み平底型とする方法が挙げられる。他の方法としては、袋の底部をスタンディングパウチ型とする方法が挙げられる。ゴミ袋が自立した際の安定性を考慮すると、後者の方法が好ましい。
【００３５】
袋の底部をスタンディングパウチ型に形成する方法は特に問わない。公知の方法で差し支えない。例えば、特開平９−１８８３１１号公報（特許文献５参照）に記載される方法及び装置により形成することができる。その概要は、一対の側面部形成用の四辺形フィルムの間に、フィルムの中央部で二つ折りした底部形成用の四辺形フィルムを折り曲げ稜線部側が奥に入るようにして導入し、底部形成用フィルムの各端部をそれぞれの側面部形成用フィルムの端部にヒートシール等によって接合することにより形成される。
ゴミ袋を特に自立させて安定化させることを考慮すると、前述した側面部の内側にシート状又は袋状遮蔽物を挿入して側面部ｂ１を形成する方法に用いる遮蔽物は、曲げ弾性率が２０００ｋｇ／ｃｍ２以上であるものが好ましい。
【００３６】
上記のようにして形成される本発明のゴミ袋の寸法には特に制限はないが、通常、幅が１０〜１００ｃｍ程度、長さが２０〜１２０ｃｍ程度である。資材フィルムの厚幅みは１０〜１００μｍ程度である。好ましくは１０〜８０μｍ程度である。
収納物が視認不可能に形成される側面部ｂ１の光線透過率は２０％未満であることが好ましい。また、収納物が視認可能に形成される側面部ｂ２の光線透過率は２０％以上であることが好ましい。ここで、側面部の所定位置にシート状又は袋状遮蔽物を挿入することにより側面部ｂ１を形成した場合、側面部ｂ１の光線透過率は、樹脂フィルムと遮蔽物とを一体としたときの光線透過率である。
【実施例１】
【００３７】
インフレーション成形機（アルピネＡＤ社製、形式：ＨＳ５０／３５／３５Ｒ−２１Ｄ）を用いて、ポリエチレン（三井化学（株）製、商品名：Ｆ３１２）をフィルム成形し、厚さ６０μｍの透明ポリエチレンフィルムを作成した。得られたフィルムを縦８００ｍｍ、横６５０ｍである実容積が４５リットルの袋に加工した。底部を二重に折込み、熱融着により三方シールしてスタンデングパウチ型とした。得られた袋の底部より３０ｃｍの高さまでの側面部の内部の全面に不織布（三井化学（株）製、商品名：シンテックス、目付け：６０ｇ／ｍ２）を密着させ一体化して収納物が視認できないようにし、底部も同様に内側から不織布を折り込み一体化させた。側面部の不織布は数ヶ所でポリエチレンフィルム部と熱融着して固定し、底部の内側の不織布は熱融着三方シール時、同時に一体固定した。
【実施例２】
【００３８】
実施例１において、不織布を用いずに、袋の底部より２５ｃｍの高さまでの側面部及び底部を黒色のウレタン系塗料を吹き付け、内部が視認できないようにした以外は、実施例１と同様にしてゴミ袋を作成した。
【産業上の利用可能性】
【００３９】
本発明のゴミ袋は、市街地などにおける食物残渣を含む生ゴミの収納用ゴミ袋として好適である。地域の美観の維持と衛生の向上に極めて有用である。
【図面の簡単な説明】
【００４０】
【図１】本発明に係わるゴミ袋の一実施例を示す模式図である。
【符号の説明】
【００４１】
ａ：底部
ｂ：側面部
ｂ１：側面部の収納物視認不可能部分
ｂ１−ｂ：側面部ｂ１の下端
ｂ１−ｔ：側面部ｂ１の上端
ｂ２：側面部の収納物視認可能部分
ｂ２−ｔ：側面部ｂ２の上端
ｃ：開口部
【図１】
2005022848.tif 000003